(57)【要約】【課題】当たりはずれ等の情報を確実に隠蔽しつつ、被着体から取り外した後の取り扱いも容易なブックレットラベルを提供する。【解決手段】本発明のブックレットラベル１は、複数のページを有する本体１０と、本体１０の少なくとも一部が剥離可能に接合された樹脂製の中間シート３０とを備え、複数のページの少なくとも一つに隠ぺい情報が印刷され、隠ぺい情報が被覆部材により視認できないように覆われている。【選択図】図１
2015087568.tif 000002
【特許請求の範囲】
【請求項１】
複数のページを有する本体と、
前記本体の少なくとも一部が剥離可能に接合された樹脂製の中間シートと、
を備え、
前記複数のページの少なくとも一つに隠ぺい情報が印刷され、前記隠ぺい情報が被覆部材により視認できないように覆われている、ブックレットラベル。
【請求項２】
前記本体は、前記中間シートに接合される仮着面と、前記中間シートに接合された状態において前記本体の表紙となる表紙部とを有し、
前記表紙部は、他の前記ページよりも大きく形成されることにより余剰領域を有し、
前記仮着面が前記中間シートに剥離可能に接合されるとともに、前記余剰領域が前記中間シートに接合されている、請求項１に記載のブックレットラベル。
【請求項３】
請求項１または２に記載のブックレットラベルが貼りつけられた被着体。
【請求項４】
前記中間シートは、前記被着体に取り付けられた樹脂製フィルムに貼り付けられており、前記樹脂性フィルムと前記中間シートとが同一の樹脂材料で形成されている、請求項３に記載の被着体。
【発明の詳細な説明】
【技術分野】
【０００１】
本発明は、ブックレットラベルおよび被着体に関する。
【背景技術】
【０００２】
従来、飲料や調味料等の容器としてのボトルやパック等に、商品の魅力をアピールする目的でラベルを貼りつけることが行われている。特許文献１には、このようなラベルの一例が記載されている。
このラベル（以下、「アイキャッチラベル」と称することがある。）は、ＰＥＴ（ポリエチレンテレフタレート）ボトルの肩部に、その一部が肩部より上方に突出するように貼り付けられる。
【０００３】
近年、アイキャッチラベルには、販売促進上の観点から、懸賞に応募するための情報、内容物に合う食材、内容物を用いたレシピなど、多岐にわたる情報を印刷することが多くなっている。その結果、一枚のラベルの両面だけでは印刷スペースが不足し、複数ページを折り畳んだ状態のブックレットをラベルとして貼りつける、いわゆるブックレットラベルの需要も高まっている。
【先行技術文献】
【特許文献】
【０００４】
【特許文献１】特開平１１−２０８６６７号公報
【発明の概要】
【発明が解決しようとする課題】
【０００５】
ブックレットラベルに懸賞機能を持たせる場合、ブックレットの一部に当たりはずれの情報を印刷し、折り畳んで外部から見えなくした状態で物品に貼り付けることが考えられる。しかし、この方法では、消費者が指を入れて他のページを押しのけるなどしてしまうと、購入前に当たりはずれの情報を見ることができる場合がある。これでは販売促進の効果が薄れてしまい、問題である。
【０００６】
対策として、ブックレットラベルのうち、被着体に貼り付けられる面に当たりはずれの情報を印刷し、痕跡なく剥がすことが困難な程度に被着体に粘着させることが考えられる。しかし、この場合、粘着剤がべとついて、取り外したブックレットの取り扱いが煩雑になるという問題がある。
【０００７】
上記事情を踏まえ、本発明は、上記事情に鑑みてなされたものであり、当たりはずれ等の情報を確実に隠蔽しつつ、被着体から取り外した後の取り扱いも容易なブックレットラベルおよび被着体を提供することを目的とする。
【課題を解決するための手段】
【０００８】
本発明の第一の態様は、複数のページを有する本体と、前記本体の少なくとも一部が剥離可能に接合された樹脂製の中間シートとを備え、前記複数のページの少なくとも一つに隠ぺい情報が印刷され、前記隠ぺい情報が被覆部材により視認できないように覆われているブックレットラベルである。
【０００９】
前記本体は、前記中間シートに接合される仮着面と、前記中間シートに接合された状態において前記本体の表紙となる表紙部とを有し、前記表紙部は、他の前記ページよりも大きく形成されることにより余剰領域を有し、前記仮着面が前記中間シートに剥離可能に接合されるとともに、前記余剰領域が前記中間シートに接合されてもよい。
【００１０】
本発明の第二の態様は、本発明のブックレットラベルが貼りつけられた被着体である。
前記中間シートは、前記被着体に取り付けられた樹脂製フィルムに貼り付けられており、前記樹脂性フィルムと前記中間シートとが同一の樹脂材料で形成されてもよい。
【発明の効果】
【００１１】
本発明のブックレットラベルおよび被着体によれば、当たりはずれ等の情報を確実に隠蔽しつつ、被着体から取り外した後の取り扱いも容易とすることができる。
【図面の簡単な説明】
【００１２】
【図１】本発明の第一実施形態のブックレットラベルを示す平面図である。
【図２】同ブックレットラベルの本体を展開した状態を示す図である。
【図３】同本体の被覆部材を剥離した状態を示す図である。
【図４】同ブックレットラベルが貼りつけられた被着体の例を示す部分拡大図である。
【図５】本発明の第二実施形態のブックレットラベルの本体を示す図であり、表紙部を展開した状態を示している。
【図６】同本体が中間シートに接合された状態を示す図である。
【発明を実施するための形態】
【００１３】
本発明の第一実施形態について、図１から図４を参照して説明する。
図１は、ブックレットラベル１を示す平面図である。ブックレットラベル１は、各種情報が記載されるページを複数有する本体１０と、本体１０が仮着された樹脂製の中間シート３０とを備えている。
【００１４】
図２は、本体１０を展開した状態を示す図である。本体１０は、帯状の紙を、幅方向に延びる複数の折り線１１で折り畳んで形成されている。折り線１１で区画されたそれぞれの領域が、情報等を印刷可能なページ１２とされている。複数のページ１２の少なくとも一部には、ブックレットラベル１が貼りつけられる被着体としての商品に関する情報が印刷されている。印刷は、すべてのページにされてもよいし、一部のページのみにされてもよい。また、ページの片面のみに印刷されてもよいし、両面に印刷されてもよい。
【００１５】
複数のページのうちの一つである、ページ１２ａには、当たりはずれ等の、被着体を購入するまで消費者に見られたくない情報（以下、「隠ぺい情報」と称する。）が印刷されている。ページ１２ａに印刷された隠ぺい情報１３（図３参照）は、ページ１２ａに接合された被覆部材１４によって覆われている。消費者は、被覆部材１４がページ１２ａに接合された状態では、隠ぺい情報１３を視認できず、被着体を購入後に被覆部材１４の一部または全部をページ１２ａから取り外すことで、隠ぺい情報１３を視認することができる。
隠ぺい情報１３は、当たりはずれの情報に限られない。例えば、キャンペーン応募用のシリアルナンバーや、当選者が賞品の送付先情報等を入力するサイトにアクセスするための情報等であってもよい。
【００１６】
本実施形態において、被覆部材１４のページ１２ａに対する取り付け態様には特に制限はなく、公知の構成を適宜採用することができる。例えば、公知の仮着糊等の仮着性材料を接着面全面に塗布することにより被覆部材１４を剥離可能にページ１２ａに取り付けてもよい。また、接着面の周縁のみに剥離困難な粘着剤を塗布して被覆部材１４を剥離困難な程度に貼り付け、粘着剤塗布領域の内側にミシン目等を設けて、被覆部材のうち、ミシン目の内側領域のみ取り外し可能な構成としてもよい。
【００１７】
折り畳まれた状態の本体１０は、視認可能な二つの面の一方が表紙部１２ｂとなり、他方が中間シート３０に仮着される仮着面１２ｃとされる。本実施形態では、ページ１２ａの裏面が仮着面１２ｃとなっている。表紙部１２ｂは、仮着性材料等により他のページに剥離可能に接合されており、ブックレットラベル１が貼りつけられた被着体が店頭に並べられているときに、表紙部１２ｂが他のページから離れて本体１０が展開しないようにされている。必要に応じて、さらに他のページどうしを剥離可能に接合し、本体を展開しないように構成してもよい。
【００１８】
中間シート３０は、樹脂等のフィルムで形成されている。中間シート３０の材料としては、一定の剛性（コシ）を有する樹脂材料、例えばＰＥＴ等が好ましい。一定の剛性を有する材料を用いて中間シート３０を形成すると、中間シートの一部を被着体に接着することで、ブックレットラベルの他の部位を被着体から上方に突出させた状態で保持することができ、アイキャッチ効果が高まる。
【００１９】
中間シート３０の一方の第一面３０ａには、本体１０の仮着面１２ｃが剥離可能に接合され、反対側の第二面３０ｂには、被着体と接触する領域の全面に接着剤等が塗布されて被着体に接合される。第二面３０ｂに塗布する接着剤は、仮着用でない、剥離困難な程度の接着力を有するものが用いられる。これにより、ラベラー等を用いた機械貼りによりブックレットラベル１を被着体に貼り付けても、貼りつけ後の脱落等を好適に防止することができる。
【００２０】
仮着面１２ｃと第一面３０ａとの接合態様については、本体１０を破損しないように剥離できる程度の接着性であれば特に制限はない。したがって、仮着性材料が仮着面１２ｃ全体に塗布されて本体１０と中間シート３０とが接合されてもよいし、仮着面１２ｃの周縁部のみ又は周縁の四辺のうちの二辺のみ等の、一部領域にだけ塗布されてもよい。
【００２１】
ブックレット１を大量に製造する際は、ページ１２ａに被覆部材１４を接合し、かつ表紙部１２ｂが他のページに接合された状態の本体１０を多数製造する。その後、例えば第二面３０ｂに接着剤が塗布され、当該接着剤が剥離紙で被覆されたロール状の中間シート３０を準備する。そして、ロール状の中間シートを引き出しつつ、仮着面１２ｃに仮着性材料が塗布された本体１０を、間隔をおいて中間シート３０の第一面３０ａに貼り付ける。貼り付け後、中間シート３０を巻き取って再びロール状にすると、多数のブックレットラベル１が連なったラベルロールを製造することができる。
【００２２】
上記のように構成された本実施形態のブックレットラベル１の作用及び効果について説明する。
図４は、ブックレットラベル１が貼りつけられた被着体１００の一例を示している。この例において、被着体１００は、酒類が充填されたゲーブルトップ型の紙パック１０１と、紙パック１０１を包む樹脂製のシュリンクフィルム１０２とを備えている。ブックレットラベル１は、中間シート３０の第二面３０ｂの一部に塗布された粘着剤３１によって、中間シート３０の下方がシュリンクフィルム（樹脂製フィルム）１０２に粘着されている。ブックレットラベル１のうち、被着体１００と接合されていない部分は、中間シート３０および本体１０のコシにより上方に突出した状態を保持し、表紙部１２ｂが本体１０の表紙となってアイキャッチ効果を発揮している。
【００２３】
図４のように貼り付けられた状態において、被覆部材１４が貼りつけられたページ１２ａ（不図示）は、本体１０の内部に折り込まれており、一見して視認しにくいため、消費者は、被覆部材１４を剥がす等のいたずらを試みることを想起しにくい。また、折り畳まれた本体１０の隙間から被覆部材１４が貼りつけられたページ１２ａが見えても、被覆部材１４に覆われた隠ぺい情報１３は視認できず、本体１０を中間シート３０から取り外さずに被覆部材１４を剥がすことも困難なため、消費者が被着体を購入するまで隠ぺい情報を視認できない状態が好適に保持される。
【００２４】
本体１０は中間シート３０に仮着されているため、被着体の購入後、消費者は容易に中間シート３０から本体１０を取り外し、印刷されている情報にアクセスすることができる。本体１０に塗布されているのは仮着性材料なので、取り外した後べたつくこともなく、本体１０の取り扱いが容易となる。一方、中間シート３０はシュリンクフィルム１０２に粘着したまま残留するため、樹脂製のシュリンクフィルム１０２と一緒に廃棄でき、両者が同一材料で形成されていれば分別の必要がない。
【００２５】
以上説明したように、本実施形態のブックレットラベル１によれば、被着体の購入までは当たりはずれ等の隠ぺい情報を確実に隠蔽しつつ、被着体の購入後に被着体から取り外した後の取り扱いも容易な構成を実現することができる。
【００２６】
次に、本発明の第二実施形態について、図５を参照して説明する。本実施形態のブックレットラベル５１と第一実施形態のブックレットラベル１との異なるところは、本体と中間シートとの接合態様である。なお、以降の説明において、既に説明したものと共通する構成については、同一の符号を付して、重複する説明を省略する。
【００２７】
図５は、ブックレットラベル５１の本体５２を示す図であり、表紙部５２ａのみ展開した状態を示している。図５に示すように、表紙部５２ａは、他のページよりも大きく形成されており、他のページに重ねあわせた際にはみ出す余剰領域５３を有している。余剰領域とその他の領域との境界には、ミシン目５４が設けられている。
本体５２は、図６に示すように、表紙部５２ａを他のページに重ねあわせた状態で、仮着面１２ｃに仮着性材料を、余剰領域５３に仮着用でない粘着剤３１等を、それぞれ塗布して中間シート３０に接合される。このようにして、本実施形態のブックレットラベル５１が形成される。
【００２８】
本実施形態のブックレットラベル５１においては、仮着面１２ｃを中間シート３０から剥離するとともに、余剰領域５３をミシン目５４に沿って表紙部５２ａから切り離すことで、本体５２を中間シート３０から取り外すことができる。
【００２９】
本実施形態のブックレットラベル５１においても、第一実施形態のブックレットラベル１と同様に、被着体の購入までは当たりはずれ等の隠ぺい情報を確実に隠蔽しつつ、被着体の購入後に被着体から取り外した後の取り扱いも容易な構成を実現することができる。
また、表紙部５２ａの一部である余剰領域５３が、剥離困難な態様で中間シート３０に接合されているため、本体５２を中間シート３０から取り外すには、かならず余剰領域５３をミシン目５４に沿って切り離さなければならない。その結果、本体を中間シートから一度取り外し、再度中間シートに接合する等の不正が困難となり、隠ぺい情報の安全性をさらに高めることができる。
【００３０】
本実施形態では、余剰領域を剥離困難な態様で中間シート３０に接合する例を説明したが、ミシン目を設けずに余剰領域も仮着性材料で中間シートに接合してもよい。
【００３１】
以上、本発明の各実施形態について説明したが、本発明の技術範囲は上記実施の形態に限定されるものではなく、本発明の趣旨を逸脱しない範囲において各構成要素に種々の変更を加えたり、削除したり、あるいは各実施形態における構成要素を適宜組み合わせたりすることが可能である。
【００３２】
例えば、本発明のブックレットラベルにおいて、本体の形状は、一枚の帯状の紙が折り畳まれたものには限られない。したがって、折り畳まれた複数の紙が小冊子状に製本されたもの等でもよい。また、本体の材質も紙には限られず、樹脂フィルム等、印刷可能な他の材料で形成されてもよい。
【００３３】
また、隠ぺい情報および被覆部材が仮着面に設けられてもよい。この場合、本体を仮着面から剥離しなければ被覆部材にアクセスできないため、不正行為がより発覚しやすい。その結果、より確実に隠ぺい情報を保護することができる。
【００３４】
また、被着体も例示したゲーブルトップ型の容器には限られず、ＰＥＴボトルや、ガラス瓶など、各種の容器に適用可能である。さらに容器内の内容物にも特に制限はないため、多種多様な物品に本発明のブックレットラベルを適用することが可能である。
【００３５】
さらに、被着体はシュリンクフィルムに覆われている必要はなく、容器の表面に本発明のブックレットラベルが直接貼り付けられてもよいことは当然である。また、被着体に取り付けられたフィルムがシュリンクフィルムでなくても、中間シートと同一の材料からなる樹脂製フィルムであれば、フィルムと中間シートとを分別することなく廃棄できるという効果を奏する。なお、樹脂製フィルムは被着体を完全に覆っている必要はなく、一部を覆うように取り付けられてもよい。
【符号の説明】
【００３６】
１、５１  ブックレットラベル
１０、５２  本体
１２、１２ａ  ページ
１２ｂ、５２ａ  表紙部
１２ｃ  仮着面
１３  隠ぺい情報
１４  被覆部材
３０  中間シート
５３  余剰領域
１００  被着体
１０２  シュリンクフィルム（樹脂製フィルム）
【図１】
2015087568.tif 000003
【図２】
2015087568.tif 000004
【図３】
2015087568.tif 000005
【図４】
2015087568.tif 000006
【図５】
2015087568.tif 000007
【図６】
2015087568.tif 000008